【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
超音波媒介細胞崩壊から細胞を保護するための、界面活性剤を含む組成物であって、該界面活性剤は、以下の式Ｉ：
【化１】
2008516635.tif 000001
を有する少なくとも１つの単位あるいはその薬学的に受容可能な塩またはエステルを含み、
この式において、Ｘは酸素、硫黄またはＮＲ５であり、
Ｙは酸素、硫黄またはＮＲ６であり、
Ｒ１〜Ｒ７は、それぞれ独立して、水素、分岐鎖もしくは直鎖アルキル基、置換もしくは非置換アリール基、アラルキル基、シクロアルキル基、エステル基、アルデヒド基、ケト基、アミド基、糖類の残基、またはこれらの組み合わせであり、
ここで、Ｒ１〜Ｒ７の少なくとも１つが疎水性基であり、
該界面活性剤は、コンドロイチン硫酸ナトリウム、ヒアルロン酸ナトリウム、またはこれらの組み合わせではない、組成物。
【請求項２】
超音波媒介細胞崩壊から細胞を保護するための、界面活性剤を含む組成物であって、該界面活性剤が以下の式Ｉ
【化２】
2008516635.tif 000002
を有する少なくとも１つの単位またはその薬学的に受容可能な塩またはエステルを含み、
この式において、Ｘは酸素、硫黄またはＮＲ５であり、
Ｙは酸素、硫黄またはＮＲ６であり、
Ｒ１〜Ｒ７は、それぞれ独立して、水素、分岐鎖もしくは直鎖アルキル基、置換もしくは非置換アリール基、アラルキル基、シクロアルキル基、エステル基、アルデヒド基、ケト基、アミド基、糖類の残基、またはこれらの組み合わせであり、
Ｒ１〜Ｒ７の少なくとも１つが疎水性基であり、
該界面活性剤は、５，０００Ｄａ未満の分子量を有する、組成物。
【請求項３】
前記界面活性剤が１，０００Ｄａ未満の分子量を有する、請求項１または２に記載の組成物。
【請求項４】
前記界面活性剤が式Ｉを有する単位の１０個未満を含む、請求項１または２に記載の組成物。
【請求項５】
Ｒ４が疎水性基であり、Ｒ１〜Ｒ３およびＲ７が独立して水素または糖類の残基である、請求項１または２に記載の組成物。
【請求項６】
Ｒ７が疎水性基であり、Ｒ１〜Ｒ４が独立して水素または糖類の残基である、請求項１または２に記載の組成物。
【請求項７】
Ｒ１〜Ｒ４およびＲ７の少なくとも１つが水素である、請求項１または２に記載の組成物。
【請求項８】
ＸおよびＹが酸素である、請求項１〜７のいずれかに記載の組成物。
【請求項９】
Ｒ１〜Ｒ３が水素である、請求項１〜８のいずれかに記載の組成物。
【請求項１０】
Ｒ７が水素である、請求項１〜９のいずれかに記載の組成物。
【請求項１１】
Ｒ７が糖類の残基である、請求項１〜９のいずれかに記載の組成物。
【請求項１２】
前記糖類の残基が単糖類である、請求項１１に記載の組成物。
【請求項１３】
前記単糖類が、２−デオキシリボース、フルクトース、イドース、グロース、タロース、ガラクトース、マンノース、アルトロース、アロース、キシロース、リキソース、アラビノース、リボース、トレオース、グルコサミン、エリトロースまたはこれらのピラノシドである、請求項１２に記載の組成物。
【請求項１４】
前記単糖類がグルコピラノシドである、請求項１２に記載の組成物。
【請求項１５】
Ｒ４が分岐鎖または直鎖Ｃ１〜Ｃ２５アルキル基である、請求項１〜１４のいずれかに記載の組成物。
【請求項１６】
Ｒ４が分岐鎖または直鎖Ｃ１〜Ｃ１０アルキル基である、請求項１５に記載の組成物。
【請求項１７】
Ｒ４が分岐鎖または直鎖Ｃ２〜Ｃ９アルキル基である、請求項１５に記載の組成物。
【請求項１８】
Ｒ４が分岐鎖または直鎖Ｃ４〜Ｃ９アルキル基である、請求項１５に記載の組成物。
【請求項１９】
Ｒ４がメチル、エチル、プロピル、イソプロピル、ブチル、ペンチル、ヘキシル、ヘプチル、オクチル、ノニルまたはオクチルである、請求項１〜１４のいずれかに記載の組成物。
【請求項２０】
Ｒ１がＣ（Ｏ）Ｒ８であり、Ｒ８が分岐鎖または直鎖Ｃ１〜Ｃ２５アルキル基である、請求項１または２に記載の組成物。
【請求項２１】
Ｒ１がＣ（Ｏ）ＮＨＲ９であり、Ｒ９が分岐鎖または直鎖Ｃ１〜Ｃ２５アルキル基である、請求項１または２に記載の組成物。
【請求項２２】
Ｒ２、Ｒ３およびＲ７が水素である、請求項２０または２１に記載の組成物。
【請求項２３】
Ｒ４が分岐鎖または直鎖Ｃ１〜Ｃ２５アルキル基である、請求項２２に記載の組成物。
【請求項２４】
Ｒ４がメチル、エチル、プロピル、ブチル、ペンチルまたはヘキシルである、請求項２２に記載の組成物。
【請求項２５】
前記界面活性剤がα−アノマーである、請求項１〜２４のいずれかに記載の組成物。
【請求項２６】
前記界面活性剤がβ−アノマーである、請求項１〜２４のいずれかに記載の組成物。
【請求項２７】
前記界面活性剤がアルキル−β−Ｄ−チオグルコピラノシド、アルキル−β−Ｄ−チオマルトピラノシド、アルキル−β−Ｄ−ガラクトピラノシド、アルキル−β−Ｄ−チオガラクトピラノシド、またはアルキル−β−Ｄ−マルトリオシドである、請求項１または２に記載の組成物。
【請求項２８】
前記界面活性剤がヘキシル−β−Ｄ−チオグルコピラノシド、ヘプチル−β−Ｄ−チオグルコピラノシド、オクチル−β−Ｄ−チオグルコピラノシド、ノニル−β−Ｄ−チオグルコピラノシド、デシル−β−Ｄ−チオグルコピラノシド、ウンデシル−β−Ｄ−チオグルコピラノシド、ドデシル−β−Ｄ−チオグルコピラノシド、オクチル−β−Ｄ−チオマルトピラノシド、ノニル−β−Ｄ−チオマルトピラノシド、デシル−β−Ｄ−チオマルトピラノシド、ウンデシル−β−Ｄ−チオマルトピラノシド、またはドデシル−β−Ｄ−チオマルトピラノシドである、請求項１または２に記載の組成物。
【請求項２９】
前記界面活性剤がアルキル−β−Ｄ−グルコピラノシドである、請求項１または２に記載の組成物。
【請求項３０】
前記界面活性剤が、ヘキシル−β−Ｄ−グルコピラノシド、ヘプチル−β−Ｄ−グルコピラノシド、オクチル−β−Ｄ−グルコピラノシド、ノニル−β−Ｄ−グルコピラノシド、デシル−β−Ｄ−グルコピラノシド、ウンデシル−β−Ｄ−グルコピラノシド、ドデシル−β−Ｄ−グルコピラノシド、トリデシル−β−Ｄ−グルコピラノシド、テトラデシル−β−Ｄ−グルコピラノシド、ペンタデシル−β−Ｄ−グルコピラノシド、ヘキサデシル−β−Ｄ−グルコピラノシド、メチル−６−Ｏ（Ｎ−ヘプチルカルバモイル）−α−Ｄ−グルコピラノシド、６−Ｏ−メチル−ｎ−ヘプチルカルボニル−α−Ｄ−グルコピラノシド、または３−シクロヘキシル−１−プロピル−β−Ｄ−グルコピラノシドである、請求項１または２に記載の組成物。
【請求項３１】
前記界面活性剤がアルキル−β−Ｄ−マルトピラノシドである、請求項１または２に記載の組成物。
【請求項３２】
前記界面活性剤が２−プロピル−１−ペンチル−β−Ｄ−マルトピラノシド、ヘキシル−β−Ｄ−マルトピラノシド、ヘプチル−β−Ｄ−マルトピラノシド、オクチル−β−Ｄ−マルトピラノシド、ノニル−β−Ｄ−マルトピラノシド、デシル−β−Ｄ−マルトピラノシド、ウンデシル−β−Ｄ−マルトピラノシド、ドデシル−β−Ｄ−マルトピラノシド、トリデシル−β−Ｄ−マルトピラノシド、テトラデシル−β−Ｄ−マルトピラノシド、ペンタデシル−β−Ｄ−マルトピラノシド、またはヘキサデシル−β−Ｄ−マルトピラノシドである、請求項１または２に記載の組成物。
【請求項３３】
前記界面活性剤が、レアトリル、アルブチン、サリシン、ジギトキシン、ｎ−ラウリル−β−Ｄ−マルトピラノシド、グリシリチン、ｐ−ニトロフェニル−β−Ｄ−グルコピラノシド、ｐ−ニトロフェニル−β−Ｄ−グルコピラノシド、ｐ−ニトロフェニル−β−Ｄ−ラクトピラノシド、またはｐ−ニトロフェニル−β−Ｄ−マルトピラノシドである、請求項１または２に記載の組成物。
【請求項３４】
前記界面活性剤が天然に存在するものである、請求項１または２に記載の組成物。
【請求項３５】
前記界面活性剤が、（Ｚ）−５′−ヒドロキシジャスモン５′−Ｏ−β−Ｄ−グルコピラノシド、３′−Ｏ−β−Ｄ−グルコピラノシル−カタルポール、プリンセピオール−４−Ｏ−β−Ｄ−グルコピラノシド、フラキシレシノール−４′−Ｏ−β−Ｄ−グルコピラノシド、クエルセチン３−Ｏ−α−Ｌ−アラビノピラノシル−（１−−＞２）−β−Ｄ−グルコピラノシド、ケンフェロール３−Ｏ−β−Ｄ−グルコピラノシド、クエルセチン３−Ｏ−β−Ｄ−グルコピラノシド、カテキン（４−α−−＞８）ペラルゴニジン３−Ｏ−β−グルコピラノシド、エピカテキン（４−α−−＞８）ペラルゴニジン３−Ｏ−β−グルコピラノシド、アフゼレキン（４−α−−＞８）ペラルゴニジン３−Ｏ−β−グルコピラノシド、エピアフゼレキン（４−α−−＞８）ペラルゴニジン３−Ｏ−β−グルコピラノシド、クエルセチン３，７−Ｏ−β−Ｄ−ジグルコピラノシド、クエルセチン３−Ｏ−α−Ｌ−ラムノピラノソール−（１−−＞６）−β−Ｄ−グルコピラノソール−７−Ｏ−β−Ｄ−グルコピラノシド、イソラムネチン−３−Ｏ−β−Ｄ−６′−アセチルグルコピラノシドまたはイソラムネチン−３−Ｏ−β−Ｄ−６′−アセチルガラクトピラノシドである、請求項３４に記載の組成物。
【請求項３６】
前記細胞が化合物送達のためにソノポレーションを受ける、請求項１〜３５のいずれかに記載の組成物。
【請求項３７】
前記細胞が、高密度焦点式超音波（ＨＩＦＵ）を受ける、腫瘍細胞または腫瘍細胞に近接する健常な細胞である、請求項１〜３５のいずれかに記載の組成物。
【請求項３８】
前記細胞が、高密度焦点式超音波（ＨＩＦＵ）を受ける、腫瘍細胞に近接する健常な細胞である、請求項１〜３５のいずれかに記載の組成物。
【請求項３９】
前記細胞が、超音波が適用されるバイオリアクター内の植物、動物または微生物の細胞である、請求項１〜３５のいずれかに記載の組成物。
【請求項４０】
前記細胞が、焦点式超音波を使用した経頭蓋血栓崩壊のときの脳細胞である、請求項１〜３５のいずれかに記載の組成物。
【請求項４１】
前記細胞が、水晶体超音波吸引のときの角膜内皮細胞である、請求項１〜３５のいずれかに記載の組成物。
【請求項４２】
超音波媒介細胞崩壊から細胞を保護するための、界面活性剤を含む組成物であって、該界面活性剤がキャビテーション気泡の気液界面に蓄積し、該界面活性剤がラジカルをクエンチする、組成物。
【請求項４３】
前記界面活性剤が少なくとも１つの疎水性基を含む炭水化物を含む、請求項４２に記載の組成物。
【請求項４４】
前記炭水化物が単糖類である、請求項４２に記載の組成物。
【請求項４５】
前記単糖類が、２−デオキシリボース、フルクトース、イドース、グロース、タロース、ガラクトース、マンノース、アルトロース、アロース、キシロース、リキソース、アラビノース、リボース、トレオース、グルコサミン、エリトロースまたはこれらのピラノシドである、請求項４２に記載の組成物。
【請求項４６】
前記単糖類がグルコピラノシドである、請求項４２に記載の組成物。
【請求項４７】
前記炭水化物が二糖類である、請求項４２に記載の組成物。
【請求項４８】
前記二糖類がラクトース、セロビオースまたはスクロースである、請求項４２に記載の組成物。
【請求項４９】
前記二糖類がマルトセピラノシドである、請求項４２に記載の組成物。
【請求項５０】
前記炭水化物が多糖類である、請求項４２に記載の組成物。
【請求項５１】
前記多糖類が、ヒアルロナン、コンドロイチン硫酸、デルマタン、ヘパラン、ヘパリン、デルマタン硫酸およびヘパラン硫酸、アルギン酸、ペクチン、またはカルボキシメチルセルロースである、請求項４２に記載の組成物。
【請求項５２】
前記疎水性基が分岐鎖または直鎖Ｃ１〜Ｃ２５アルキル基を含む、請求項４２〜５１のいずれかに記載の組成物。
【請求項５３】
前記疎水性基が分岐鎖または直鎖Ｃ１〜Ｃ１０アルキル基を含む、請求項４２〜５１のいずれかに記載の組成物。
【請求項５４】
前記疎水性基が分岐鎖または直鎖Ｃ２〜Ｃ９アルキル基を含む、請求項４２〜５１のいずれかに記載の組成物。
【請求項５５】
超音波媒介細胞崩壊から細胞を保護するための、界面活性剤を含む組成物であって、該界面活性剤がヘキシル−β−Ｄ−グルコピラノシドである、組成物。
【請求項５６】
超音波媒介細胞崩壊から細胞を保護するための、界面活性剤を含む組成物であって、該界面活性剤がヘプチル−β−Ｄ−グルコピラノシドである、組成物。
【請求項５７】
超音波媒介細胞崩壊から細胞を保護するための、界面活性剤を含む組成物であって、該界面活性剤がオクチル−β−Ｄ−グルコピラノシドである、組成物。
【請求項５８】
超音波媒介細胞崩壊から細胞を保護するための、界面活性剤を含む組成物であって、該界面活性剤がノニル−β−Ｄ−グルコピラノシドである、組成物。
【請求項５９】
超音波媒介細胞崩壊から細胞を保護するための、界面活性剤を含む組成物であって、該界面活性剤がヘキシル−β−Ｄ−マルトピラノシドである、組成物。
【請求項６０】
超音波媒介細胞崩壊から細胞を保護するための、界面活性剤を含む組成物であって、該界面活性剤がｎ−オクチル−β−Ｄ−マルトピラノシドである、組成物。
【請求項６１】
超音波媒介細胞崩壊から細胞を保護するための、界面活性剤を含む組成物であって、該界面活性剤がｎ−オクチル−β−Ｄ−チオグルコピラノシドである、組成物。
【請求項６２】
超音波媒介細胞崩壊から細胞を保護するための、界面活性剤を含む組成物であって、該界面活性剤が２−プロピル−１−ペンチル−β−Ｄ−マルトピラノシドである、組成物。
【請求項６３】
超音波媒介細胞崩壊から細胞を保護するための、界面活性剤を含む組成物であって、該界面活性剤がメチル−６−Ｏ−（Ｎ−ヘプチルカルバモイル）−α−Ｄ−グルコピラノシドである、組成物。
【請求項６４】
超音波媒介細胞崩壊から細胞を保護するための、界面活性剤を含む組成物であって、該界面活性剤が３−シクロヘキシル−１−プロピル−β−Ｄ−グルコシドである、組成物。
【請求項６５】
超音波媒介細胞崩壊から細胞を保護するための、界面活性剤を含む組成物であって、該界面活性剤が６−Ｏ−メチル−ｎ−ヘプチルカルボキシル−α−Ｄ−グルコピラノシドである、組成物。
【請求項６６】
腫瘍の治療が必要な被験体において、腫瘍を治療するための組成物であって、
有効量の界面活性剤を含み、該界面活性剤はキャビテーション気泡の気液界面に蓄積し、該界面活性剤がラジカルをクエンチし、
該腫瘍は高密度焦点式超音波（ＨＩＦＵ）に供され、それによって該腫瘍が治療されることを特徴とする、組成物。
【請求項６７】
化合物を細胞に送達するための組成物であって、
界面活性剤を含み、該界面活性剤はキャビテーション気泡の気液界面に蓄積し、該界面活性剤はラジカルをクエンチし、
該化合物の存在下で、該細胞をソノポレーションする上で十分な超音波周波数に該細胞を供し、それによって該細胞に該化合物が送達されることを特徴とする、組成物。
【請求項６８】
前記界面活性剤がヘキシル−β−Ｄ−グルコピラノシドである、請求項６６〜６７いずれかに記載の組成物。
【請求項６９】
前記界面活性剤がヘプチル−β−Ｄ−グルコピラノシドである、請求項６６〜６７いずれかに記載の組成物。
【請求項７０】
前記界面活性剤がオクチル−β−Ｄ−グルコピラノシドである、請求項６６〜６７いずれかに記載の組成物。
【請求項７１】
前記界面活性剤がノニル−β−Ｄ−グルコピラノシドである、請求項６６〜６７いずれかに記載の組成物。
【請求項７２】
前記界面活性剤がヘキシル−β−Ｄ−マルトピラノシドである、請求項６６〜６７いずれかに記載の組成物。
【請求項７３】
前記界面活性剤がｎ−オクチル−β−Ｄ−マルトピラノシドである、請求項６６〜６７いずれかに記載の組成物。
【請求項７４】
前記界面活性剤がｎ−オクチル−β−Ｄ−チオグルコピラノシドである、請求項６６〜６７いずれかに記載の組成物。
【請求項７５】
前記界面活性剤が２−プロピル−１−ペンチル−β−Ｄ−マルトピラノシドある、請求項６６〜６７いずれかに記載の組成物。
【請求項７６】
前記界面活性剤がメチル−６−Ｏ−（Ｎ−ヘプチルカルバモイル）−α−Ｄ−グルコピラノシドである、請求項６６〜６７いずれかに記載の組成物。
【請求項７７】
前記界面活性剤が３−シクロヘキシル−１−プロピル−β−Ｄ−グルコピラノシドである、請求項６６〜６７いずれかに記載の組成物。
【請求項７８】
前記界面活性剤が６−Ｏ−メチル−ｎ−ヘプチルカルボキシル−α−Ｄ−グルコピラノシドである、請求項６６〜６７いずれかに記載の組成物。
【請求項７９】
界面活性剤を適切な薬学的キャリア中に含む組成物であって、該界面活性剤はキャビテーション気泡の気液界面に蓄積することができ、該界面活性剤はラジカルをクエンチすることができる、組成物。
【請求項８０】
適切な薬学的キャリア内に、請求項１に記載の化合物および少なくとも１つの界面活性剤を含む組成物であって、該化合物は、ソノポレーションによって被験体における細胞に送達される、組成物。